(57)【特許請求の範囲】
【請求項１】
映像を表示するために必要な各種信号を含む映像情報を外部装置から取得して、前記映像情報に基づく映像を表示画面に表示する映像表示装置であって、
操作を受け付ける操作受付部と、
前記映像情報に変化があり、前記操作受付部により前記操作が受け付けられた場合には、前記各種信号のうち、前記映像情報の変化前後で信号値の変化が閾値を超える信号を抽出する抽出部と、
前記抽出部により抽出された信号に対応する前記表示画面の調整項目を特定する特定部と、
前記特定部により特定された調整項目の設定値を調整する調整部と、
を備えることを特徴とする映像表示装置。
【請求項２】
前記抽出部は、前記各種信号のうち、前記映像情報の変化前後で前記変化が前記閾値を超える信号であって、最も前記変化が大きい信号を抽出することを特徴とする、請求項１に記載の映像表示装置。
【請求項３】
前記各種信号のうち、前記表示画面の明るさに影響する信号を第１のグループとし、映像の色彩に影響する信号を第２のグループとして分類する分類部を更に備え、
前記抽出部は、前記各グループにおいて、前記変化が最大である信号を抽出することを特徴とする、請求項１又は２に記載の映像表示装置。
【請求項４】
前記抽出部は、前記映像情報に変化があった後に、前記操作受付部により前記操作が受け付けられた場合には、前記各種信号のうち、前記映像情報の変化前後で信号値の変化が閾値を超える信号を抽出することを特徴とする、請求項１〜３のいずれか一項に記載の映像表示装置。
【請求項５】
記憶部と、
前記映像情報に変化があった場合には、変化前の前記映像情報を前記記憶部に格納し、変化後の前記映像情報を前記表示画面に表示させる信号処理部と、
を備え、
前記抽出部は、前記操作受付部により前記操作が受け付けられた場合には、前記各種信号のうち、前記記憶部に格納されている前記変化前の映像情報と、前記前記表示画面に表示されている前記映像情報とで信号値の変化が閾値を超える信号を抽出することを特徴とする、請求項１〜４のいずれか一項に記載の映像表示装置。
【請求項６】
記憶部と、
前記映像情報に変化があった場合には、変化前の前記映像情報と変化後の前記映像情報とを前記記憶部に格納する信号処理部と、
を備え、
前記抽出部は、前記操作受付部により前記操作が受け付けられた場合には、前記各種信号のうち、前記記憶部に格納されている前記変化前後の前記映像情報で信号値の変化が閾値を超える信号を抽出することを特徴とする、請求項１〜４のいずれか一項に記載の映像表示装置。
【請求項７】
前記調整部は、前記抽出部により抽出された信号の変化率に基づいて、前記特定部により特定された前記調整項目の設定値を調整することを特徴とする、請求項１から６のいずれか一項に記載の映像表示装置。
【請求項８】
前記設定値が高くなる方向である第１の方向と、前記設定値が低くなる方向である第２の方向と、のいずれかを選択させる選択画面を前記表示画面に表示する表示制御部を備え、
前記調整部は、前記選択画面により選択された方向に前記設定値を調整することを特徴とする、請求項１から７のいずれか一項に記載の映像表示装置。
【請求項９】
前記調整部は、前記選択画面により選択された方向が前記第１の方向である場合には、前記抽出部により抽出された信号の変化率にプラスの符号を付した値を前記設定値に乗算し、前記選択画面により選択された方向が前記第２の方向である場合には、前記変化率にマイナスの符号を付した値を前記設定値に乗算することで、前記設定値を調整することを特徴とする、請求項８に記載の映像表示装置。
【請求項１０】
映像を表示するために必要な各種信号を含む映像情報を外部装置から取得して、前記映像情報に基づく映像を映像表示装置の表示画面に表示する映像表示方法であって、
操作を受け付ける操作受付ステップと、
前記映像情報に変化があり、前記操作受付ステップにより前記操作が受け付けられた場合には、前記各種信号のうち、前記映像情報の変化前後で信号値の変化が閾値を超える信号を抽出する抽出ステップと、
前記抽出ステップにより抽出された信号に対応する前記表示画面の調整項目を特定する特定ステップと、
前記特定ステップにより特定された調整項目の設定値を調整する調整ステップと、
を含む映像表示方法。
【発明の詳細な説明】
【技術分野】
【０００１】
本発明は、映像表示装置及び映像表示方法に関する。
【背景技術】
【０００２】
下記特許文献１には、外部装置から入力された映像情報をもとに表示画面に映像を表示する映像表示装置が開示されている。
このような映像表示装置では、外部装置から入力される映像情報に変化があり、その変化後の映像にユーザが不満を持った場合には、ユーザが映像表示装置本体のボタン等を操作して、表示画面に関して調整可能な項目（以下、「調整項目」という。）を調整することが必要である。
【先行技術文献】
【特許文献】
【０００３】
【特許文献１】特開２００７−１５１１２５号公報
【発明の概要】
【発明が解決しようとする課題】
【０００４】
しかしながら、どの調整項目を調整すればよいのか、ユーザには判断できない場合があり、最適な調整が困難である場合がある。【０００５】
本発明は、このような事情に鑑みてなされたもので、その目的は、表示画面に対して最適な調整を行うことである。
【課題を解決するための手段】
【０００６】
本発明の一態様は、映像を表示するために必要な各種信号を含む映像情報を外部装置から取得して、前記映像情報に基づく映像を表示画面に表示する映像表示装置であって、操作を受け付ける操作受付部と、前記映像情報に変化があり、前記操作受付部により前記操作が受け付けられた場合には、前記各種信号のうち、前記映像情報の変化前後で信号値の変化が閾値を超える信号を抽出する抽出部と、前記抽出部により抽出された信号に対応する前記表示画面の調整項目を特定する特定部と、前記特定部により特定された調整項目の設定値を調整する調整部と、を備えることを特徴とする映像表示装置である。【０００７】
本発明の一態様は、上述の映像表示装置であって、前記抽出部は、前記各種信号のうち、前記映像情報の変化前後で前記変化が前記閾値を超える信号であって、最も前記変化が大きい信号を抽出する。【０００８】
本発明の一態様は、上述の映像表示装置であって、前記各種信号のうち、前記表示画面の明るさに影響する信号を第１のグループとし、映像の色彩に影響する信号を第２のグループとして分類する分類部を更に備え、前記抽出部は、前記各グループにおいて、前記変化が最大である信号を抽出する。【０００９】
本発明の一態様は、上述の映像表示装置であって、前記抽出部は、前記映像情報に変化があった後に、前記操作受付部により前記操作が受け付けられた場合には、前記各種信号のうち、前記映像情報の変化前後で信号値の変化が閾値を超える信号を抽出する。【００１０】
本発明の一態様は、上述の映像表示装置であって、記憶部と、前記映像情報に変化があった場合には、変化前の前記映像情報を前記記憶部に格納し、変化後の前記映像情報を前記表示画面に表示させる信号処理部と、を備え、前記抽出部は、前記操作受付部により前記操作が受け付けられた場合には、前記各種信号のうち、前記記憶部に格納されている前記変化前の映像情報と、前記前記表示画面に表示されている前記映像情報とで信号値の変化が閾値を超える信号を抽出する。【００１１】
本発明の一態様は、上述の映像表示装置であって、記憶部と、前記映像情報に変化があった場合には、変化前の前記映像情報と変化後の前記映像情報とを前記記憶部に格納する信号処理部と、を備え、前記抽出部は、前記操作受付部により前記操作が受け付けられた場合には、前記各種信号のうち、前記記憶部に格納されている前記変化前後の前記映像情報で信号値の変化が閾値を超える信号を抽出する。【００１２】
本発明の一態様は、上述の映像表示装置であって、前記調整部は、前記抽出部により抽出された信号の変化率に基づいて、前記特定部により特定された前記調整項目の設定値を調整する。【００１３】
本発明の一態様は、上述の映像表示装置であって、前記設定値が高くなる方向である第１の方向と、前記設定値が低くなる方向である第２の方向と、のいずれかを選択させる選択画面を前記表示画面に表示する表示制御部を備え、前記調整部は、前記選択画面により選択された方向に前記設定値を調整する。【００１４】
本発明の一態様は、上述の映像表示装置であって、前記調整部は、前記選択画面により選択された方向が前記第１の方向である場合には、前記抽出部により抽出された信号の変化率にプラスの符号を付した値を前記設定値に乗算し、前記選択画面により選択された方向が前記第２の方向である場合には、前記変化率にマイナスの符号を付した値を前記設定値に乗算することで、前記設定値を調整する。【００１５】
本発明の一態様は、映像を表示するために必要な各種信号を含む映像情報を外部装置から取得して、前記映像情報に基づく映像を映像表示装置の表示画面に表示する映像表示方法であって、操作を受け付ける操作受付ステップと、前記映像情報に変化があり、前記操作受付ステップにより前記操作が受け付けられた場合には、前記各種信号のうち、前記映像情報の変化前後で信号値の変化が閾値を超える信号を抽出する抽出ステップと、前記抽出ステップにより抽出された信号に対応する前記表示画面の調整項目を特定する特定ステップと、前記特定ステップにより特定された調整項目の設定値を調整する調整ステップと、を含む映像表示方法である。
【発明の効果】
【００１６】
以上説明したように、本発明によれば、表示画面に対して最適な調整を行うことができる。
【図面の簡単な説明】
【００１７】
【図１】第１の実施形態に係る映像表示装置を備えた映像表示システムＡの概略構成の一例を示す図である。
【図２】第１の実施形態に係る演算制御部９の表示画面を調整する機能ブロック図である。
【図３】第１の実施形態に係る映像表示装置２の動作を説明する図である。
【図４】第２の実施形態に係る映像表示装置を備えた映像表示システムＢの概略構成の一例を示す図である。
【図５】第２の実施形態に係る演算制御部９の表示画面を調整する機能ブロック図である。
【図６】第２の実施形態に係る映像表示装置２Ｂの動作を説明する図である。
【図７】第２の実施形態に係る第１のグループの各信号の変化率の一例を示す図である。
【図８】第２の実施形態に係る第２のグループの各信号の変化率の一例を示す図である。
【図９】本発明の一実施形態に係る映像表示装置２の主要な構成を説明する図である。
【発明を実施するための形態】
【００１８】
以下、本発明の一実施形態に係る映像表示装置を、図面を用いて説明する。
【００１９】
（第１の実施形態）
図１は、第１の実施形態に係る映像表示装置を備えた映像表示システムＡの概略構成の一例を示す図である。図１に示すように、映像表示システムＡは、外部装置１及び映像表示装置２を備える。
【００２０】
外部装置１は、例えば、ＰＣ（personal computer）であって、映像表示装置２と有線又は無線で接続されている。外部装置１は、映像表示装置２に対して映像信号を有線又は無線で出力する。この映像信号とは、映像表示装置２の表示画面に映像を表示するに必要な各種信号を含む。例えば、映像信号は、輝度値を示す輝度信号や色度を示す色度信号等の映像情報を含む。
【００２１】
より具体的には、外部装置１は、演算部３及び出力制御部４を備える。
【００２２】
演算部３は、映像表示装置２の表示画面に表示する映像情報に基づいて映像信号を生成して出力制御部４に出力する。
【００２３】
出力制御部４は、演算部３で生成された映像信号を映像表示装置２に出力する。例えば、出力制御部４は、演算部３で生成された映像信号を映像表示装置２に伝送するためのスタンバイの処理を行った後に、映像表示装置２に映像信号を伝送（出力）する。
【００２４】
映像表示装置２は、出力制御部４から伝送された映像信号に基づく映像を自装置の表示画面に表示する。以下に、本発明の一実施形態に係る映像表示装置２の概略構成を説明する。
【００２５】
映像表示装置２は、入力制御部５、映像信号処理部６、操作受付部７、操作処理部８、演算制御部９、記憶部１０、表示制御部１１、及び表示部１２を備える。
【００２６】
入力制御部５は、出力制御部４から伝送された映像信号を取得して、映像信号処理部６に入力する。
【００２７】
映像信号処理部６は、入力制御部５から入力された映像信号を解析して、その解析結果を演算制御部９に送信する。例えば、映像信号処理部６は、入力制御部５から入力された映像信号を解析することで、その映像信号に含まれている映像情報、すなわち各種信号の信号値を抽出する。例えば、映像信号処理部６は、映像信号に含まれる輝度信号の信号値としての輝度値や映像信号に含まれる色度信号の信号値としての色度を映像情報として抽出する。そして、映像信号処理部６は、抽出した映像情報を演算制御部９に出力する。
【００２８】
操作受付部７は、映像表示装置２への操作を受け付ける。この操作とは、映像表示装置２の表示画面の自動調整に関する操作であって、例えば、ユーザによる操作である。本実施形態では、操作受付部７は、ユーザが映像表示装置２の表示画面の調整を行うためのインタフェースである。例えば、操作受付部７は、複数のボタンやタッチパネル等の操作部を備え、当該操作部がユーザにより操作されたことを検出することで、ユーザによる操作を受け付ける。また、操作受付部７は、通信部を備え、当該通信部が、映像表示装置２の表示画面の調整に関する操作を示す信号を外部から有線又は無線で受信することでユーザによる操作を受け付けてもよい。
【００２９】
操作処理部８は、操作受付部７が受け付けたユーザによる操作の内容（以下、「ユーザの操作内容」という。）を解析して、その解析結果を演算制御部９に伝送する。例えば、ユーザの操作内容としては、映像表示装置２における表示画面の自動調整を指示することや、当該自動調整の指示がプラス方向（第１の方向）に調整すること、又はマイナス方向（第２の方向）に調整すること、等である。
【００３０】
演算制御部９は、映像信号処理部６から映像情報を取得し、その取得した映像情報を表示制御部１１に伝送することで、当該映像情報に基づく映像を表示画面に表示させる。また、新たな映像信号が映像表示装置２に入力されることで新たな映像情報が演算制御部９に入力された場合には、演算制御部９は、表示画面に表示されている現在の映像情報を記憶部１０に格納する。そして、演算制御部９は、現在の映像情報を記憶部１０に格納した後に、新たに入力された映像情報を表示制御部１１に伝送することで、当該新たに入力された映像情報に基づく映像を表示画面に表示させる。ただし、現在の映像情報と新たに入力された映像情報とが同一であって、映像情報に変化がない場合には、現在の映像情報を記憶部１０に格納しなくてもよい。
【００３１】
ここで、演算制御部９は、現在の映像情報に対して変化がある映像情報が新たに入力された後に操作受付部７がユーザによる操作を受け付けた場合には、ユーザの操作内容を反映させて、映像表示装置２の表示画面に対して最適な調整を自動で行う。
【００３２】
以下、第１の実施形態に係る映像表示装置２における表示画面の調整方法について、説明する。図２は、第１の実施形態に係る演算制御部９の表示画面を調整する機能ブロック図である。
【００３３】
図２に示すように、演算制御部９は、信号処理部９１、抽出部９２、特定部９３、及び調整部９４を備える。
【００３４】
信号処理部９１は、新たに入力された映像情報が現在の映像情報と異なる場合には、記憶部１０に現在の映像情報を格納して、新たに入力された映像情報を表示制御部１１に伝送して当該新たに入力された映像情報を表示画面に表示させる。
【００３５】
ここで、信号処理部９１は、新たに入力された映像情報が表示画面に表示されている状態において、操作受付部７がユーザによる操作を受け付けた場合には、その新たに入力された映像情報（すなわち、表示画面に表示されている映像情報）と、記憶部１０に格納されている映像情報とを比較し、映像情報に含まれている各種信号の信号値の変化率ΔＨを算出する。この変化率ΔＨは、映像情報が変化した場合に、信号値がどのくらい変化したかを示すものであって、例えば、０〜１００％の割合である。
【００３６】
抽出部９２は、信号処理部９１により抽出された各信号の変化率ΔＨのうち、所定の閾値を超える変化率ΔＨがあるか否かを判定し、閾値を超える変化率ΔＨがあると判定した場合には、その変化率ΔＨの信号を抽出する。すなわち、抽出部９２は、各種信号のうち、映像情報の変化前後で信号の変化率ΔＨが閾値を超える信号を抽出する。
【００３７】
なお、抽出部９２は、信号値の変化率ΔＨが所定の閾値を超える信号が複数ある場合には、変化率ΔＨが所定の閾値を超える信号すべての信号を抽出してもよいし、変化率ΔＨが所定の閾値を超える複数の信号のうち、変化率ΔＨが最も大きい信号を抽出してもよい。また、抽出部９２は、信号値の変化率ΔＨが所定の閾値を超える信号が複数ある場合には、変化率ΔＨが所定の閾値を超える複数の信号のうち、任意の信号を一又は複数抽出してもよい。
【００３８】
特定部９３は、抽出部９２により抽出された信号に対応する表示画面の調整項目を特定する。ここで、調整項目とは、表示画面に対して調整可能な項目であって、例えば、コントラスト、明るさ、色の濃さ、色合い及び画質等がある。特定部９３は、特定した調整項目を調整部９４に出力する。
【００３９】
調整部９４は、特定部９３が特定した調整項目における現在の設定値Ｓを取得する。
調整部９４は、操作処理部８から「表示画面の調整方向がプラス方向である」というユーザの操作内容を取得した場合には、抽出部９２で抽出された信号の変化率ΔＨにプラスの符号を付与する。一方、調整部９４は、操作処理部８から「表示画面の調整方向がマイナス方向である」というユーザの操作内容を取得した場合には、抽出部９２で抽出された信号の変化率ΔＨにマイナスの符号を付与する。
【００４０】
調整部９４は、変化率ΔＨに符号を付与した後、事前に取得した設定値Ｓに符号付きの変化率を乗算することで調整値を算出する。そして、調整部９４は、この算出した調整値を表示部１２に送信することで、現在の表示画面の設定値が調整値に更新される。すなわち、調整部９４は、事前に取得した設定値Ｓに符号付きの変化率を乗算して得た調整値に基づいて設定値Ｓを調整する。
【００４１】
表示制御部１１は、演算制御部９から伝送された映像情報を取得し、その映像情報に基づく映像を表示部１２に表示する。また、表示制御部１１は、調整方向として、プラス方向とマイナス方向とのいずれかをユーザに選択させる選択画面を表示画面に表示する。
表示制御部１１は、調整部９４により送信された調整値に基づいて、特定部９３が特定した調整項目における現在の設定値Ｓを更新する。
【００４２】
表示部１２は、映像表示装置２の表示画面であって、例えば、ＬＣＤ（Liquid Crystal Display）又はＥＬ（Electroluminescence）パネルである。
【００４３】
次に、第１の実施形態に係る映像表示装置２の動作について、図３を用いて説明する。図３は、第１の実施形態に係る映像表示装置２の動作を説明する図である。
【００４４】
映像表示装置２は、外部装置１から入力された映像信号を取得する（ステップＳ１０１）。そして、映像表示装置２は、その取得した映像信号を解析し、その解析の結果から得られた映像情報をもとに映像を表示画面に表示する（ステップＳ１０２）。
【００４５】
ここで、映像表示装置２の信号処理部９１は、新たに外部装置１から映像信号が入力され、当該映像信号の映像情報（新たな映像情報）が現在の映像情報に対して変化があるか否かを判定し（ステップＳ１０３）、変化があると判定した場合には、現在の映像情報を保存する。そして、信号処理部９１は、新たな映像情報をもとに映像を表示画面に表示する。すなわち、信号処理部９１は、映像情報に変化があった場合には、変化前の映像情報を記憶部１０に格納し（ステップＳ１０４）、変化後の映像情報を表示画面に表示する（ステップＳ１０５）。
【００４６】
次に、信号処理部９１は、表示部１２の自動調整を適用するか否かを判定する（ステップＳ１０６）。表示部１２の自動調整を適用する場合とは、例えば、ユーザが現在の表示画面に表示された映像（例えば、明るさや色度等）に不満を持ち、その映像の変更を望む場合である。
【００４７】
具体的には、例えば、ユーザが映像表示装置２に設けられたボタンやマウス等の操作部を操作することで、表示部１２に自動調整を選択可能なメニュー画面を表示させる。そして、ユーザがそのメニュー画面で表示部１２の自動調整を実施することを選択する操作を行った場合には、操作受付部７は、当該操作を受け付けることで表示画面（表示部１２）の自動調整を適用すると判定する。
【００４８】
表示画面（表示部１２）の自動調整を適用すると判定した場合には、信号処理部９１は、変化前後の映像情報（すなわち、記憶部に格納されている映像情報）と、変化後の映像情報（例えば、表示部１２に表示中の映像情報）とを比較する（ステップＳ１０７）。そして、映像表示装置２は、比較した結果、信号値の変化率ΔＨが閾値を超える信号を抽出する（ステップＳ１０８）。例えば、映像表示装置２の抽出部９２は、変化前の映像情報から変化後の映像情報になった場合における各信号の変化率をグラフ化する。そして、抽出部９２は、変化率が所定の閾値を超える信号を抽出する。ここで、映像表示装置２は、この抽出部９２で抽出された信号が、映像情報の前後で変化したことがユーザを不快に感じさせた原因であると判定する。
【００４９】
特定部９３は、抽出部９２により抽出された信号に対応する表示画面の調整項目を特定する（ステップＳ１０９）。そして、調整部９４は、特定部９３が特定した調整項目における現在の設定値Ｓを読み出す（ステップＳ１１０）。本実施形態に係る調整項目とは、例えば、コントラスト、明るさ、色の濃さ、色合い及び画質等である。
【００５０】
ここで、映像表示装置２は、ユーザに対して表示画面の調整方向をプラス方向にするかマイナス方向にするかを選択させる。例えば、映像表示装置２の表示制御部１１は、表示画面の調整方向をプラス方向にするかマイナス方向にするかを選択させる選択画面を表示画面に表示する（ステップＳ１１１）。なお、本実施形態に係る選択画面は、ステップＳ１０６における自動調整を選択するメニュー画面と同じＧＵＩにすることが好ましい。
これにより、ユーザは、マウスなどのポインティング・デバイスやボタン等の操作部を操作することで上記選択画面から表示画面の調整方向を選択することができる（ステップＳ１１２）。
【００５１】
例えば、ユーザは、映像表示装置２の表示画面に表示されている映像情報が変化して明るさが低下した、すなわち暗くなったことを不快に思って自動調整の実施を選択したとする。この場合には、ユーザは、ステップＳ１１２において、明るさを向上させる方向、すなわちプラス方向を選択することで、自身が望む調整方向を選択することができる。一方、ユーザは、映像表示装置２の表示画面に表示されている映像情報が変化し表示画面が明るすぎることを不快に思って自動調整の実施を選択したとする。この場合には、ユーザは、ステップＳ１１２において、明るさを低下させる方向、すなわちマイナス方向を選択することで、自身が望む調整方向を選択することができる。なお、上記の一例では、ユーザが明るさに不快に思った場合について説明したが、本発明はこれに限定されず、コントラストや色度等に不快に思った場合にも同様である。
【００５２】
ただし、ユーザの中には、表示画面に表示されている映像情報が変化したことで表示画面の映像に対して不快に思ったとしも、その原因がコントラストなのか、色度なのか等の具体的な調整項目までは判断できない場合がある。したがって、本実施形態では、ユーザに対して調整項目までは選択させず、調整方向のみを選択させることとした。すなわち、現在の映像に対して、何かしらの調整項目の設定値を高くする方向であるプラス方向か、何かしらの調整項目の設定値を低くする方向であるマイナス方向かのみをユーザに選択させる。これにより、ユーザは、どの調整項目を調整すればよいのか悩むことがなく、感覚的に調整方向を選択するだけで表示画面に対して最適な調整を行うことが可能となる。
【００５３】
調整部９４は、ユーザにより、表示画面の調整方向としてプラス方向が選択された場合には、抽出部９２で抽出された信号の変化率ΔＨにプラスの符号を付与する（ステップＳ１１３）。一方、調整部９４は、表示画面の調整方向としてマイナス方向が選択された場合には、抽出部９２で抽出された信号の変化率ΔＨにマイナスの符号を付与する（ステップＳ１１４）。
【００５４】
調整部９４は、変化率ΔＨにプラス又はマイナスの符号の付与した後、事前に取得した設定値Ｓに符号付きの変化率ΔＨを乗算することで調整値を算出する（ステップＳ１１５）。そして、調整部９４は、この算出した調整値を表示部１２に送信する。これにより、現在の表示画面の設定値Ｓが更新する（ステップＳ１１６）。例えば、変化率ΔＨが４０％、設定値Ｓが２０であって、ユーザにより、表示画面の調整方向としてプラス方向が選択された場合には、調整部９４は、設定値である２０を＋４０％することで、調整値＝「２８」（＝２０×１．４）を得る。そして、調整部９４は、この調整値＝「２８」を表示制御部１１に送信する。したがって、表示制御部１１は、調整値＝「２８」を新たな設定値Ｓとして更新する。すなわち、調整部９４は、表示画面の調整項目の設定値を調整することになる。そして、設定値Ｓが更新されると、ステップＳ１０３の処理に戻る。
【００５５】
このように、ユーザが現在の表示画面に表示された映像の明るさや色度の変更を望む場合、表示画面の調整画面（メニュー画面）から自動調整の実施の選択と、画面の調整方向をプラス方向又はマイナス方向のどちらにするか選択を行えば、映像表示装置２がユーザに最も影響を及ぼす変化のあった信号に対応する画面の設定値の調整を動的に行う。すなわち、映像情報が変化したことでユーザが不快に思って自動調整の実施を選択したとすると、映像表示装置２は、映像情報の変化前後で、変化率が閾値を超えた信号や閾値を超え最も変化率が大きい信号がユーザを不快に感じさせた原因であるとして、その変化分を動的に調整する。そのため、ユーザは自身の望む調整が必要な調整項目及びその項目の設定値を思案することが不要となる。その結果、表示画面に対して最適な調整を行うことができる。
【００５６】
（第２の実施形態）
以下に、第２の実施形態に係る映像表示装置２Ｂについて説明する。第２の実施形態に係る映像表示装置２Ｂは、第１の実施形態と比較して、映像表示装置２における表示画面の調整方法において、映像情報に含まれる各種信号を複数のグループに分類して、各グループで変化率ΔＨが最大である信号を抽出する点で相違し、その他の構成については第１の実施形態と同様である。なお、図面において、同一又は類似の部分には同一の符号を付して、重複する説明を省く場合がある。
【００５７】
図４は、第２の実施形態に係る映像表示装置を備えた映像表示システムＢの概略構成の一例を示す図である。図４に示すように、映像表示システムＢは、外部装置１及び映像表示装置２Ｂを備える。
【００５８】
映像表示装置２Ｂは、外部装置１から伝送された映像信号に基づく映像を自装置の表示画面に表示する。以下に、第２の実施形態に係る映像表示装置２Ｂの概略構成を説明する。
【００５９】
映像表示装置２Ｂは、入力制御部５、映像信号処理部６、操作受付部７、操作処理部８、演算制御部９Ｂ、記憶部１０、表示制御部１１、及び表示部１２を備える。
【００６０】
演算制御部９Ｂは、映像信号処理部６から映像情報を取得し、その取得した映像情報を表示制御部１１に伝送することで、当該映像情報に基づく映像を表示画面に表示させる。また、新たな映像信号が映像表示装置２Ｂに入力されることで新たな映像情報が演算制御部９Ｂに入力された場合には、演算制御部９Ｂは、表示画面に表示されている現在の映像情報を記憶部１０に格納する。そして、演算制御部９Ｂは、現在の映像情報を記憶部１０に格納した後に、新たに入力された映像情報を表示制御部１１に伝送することで、当該新たに入力された映像情報に基づく映像を表示画面に表示させる。ただし、第１の実施形態と同様に、現在の映像情報と新たに入力された映像情報とが同一であって、映像情報に変化がない場合には、現在の映像情報を記憶部１０に格納しなくてもよい。
【００６１】
演算制御部９Ｂは、現在の映像情報に対して変化がある映像情報が新たに入力された後に操作受付部７がユーザによる操作を受け付けた場合には、ユーザの操作内容に反映させて、映像表示装置２Ｂの表示画面に対して最適な調整を自動で行う。
以下、第２の実施形態に係る映像表示装置２Ｂにおける表示画面の調整方法について、説明する。図５は、第２の実施形態に係る演算制御部９Ｂの表示画面を調整する機能ブロック図である。
【００６２】
図５に示すように、演算制御部９Ｂは、信号処理部９１、分類部１００、抽出部９２Ｂ、特定部９３、及び調整部９４を備える。
【００６３】
分類部１００は、信号処理部９１により各信号の変化率ΔＨが算出されると、映像情報に含まれる各種信号のうち、表示画面の明るさに影響する信号を第１のグループとし、映像の色彩に影響する信号を第２のグループとして分類する。
【００６４】
抽出部９２Ｂは、分類部１００で分類された各グループにおいて、閾値以上であって、変化率ΔＨが最大である信号を抽出する。
【００６５】
特定部９３は、抽出部９２により第１のグループと第２のグループとのそれぞれで抽出された各信号に対応する表示画面の調整項目をそれぞれ特定する。そして、特定部９３は、特定した２つの調整項目を調整部９４に出力する。
【００６６】
調整部９４は、特定部９３が特定した各調整項目における現在の設定値Ｓ１、Ｓ２を取得する。そして、調整部９４は、操作処理部８から「表示画面の調整方向がプラス方向である」というユーザの操作内容を取得した場合には、抽出部９２で抽出された各信号の変化率ΔＨのそれぞれにプラスの符号を付与する。一方、調整部９４は、操作処理部８から「表示画面の調整方向がマイナス方向である」というユーザの操作内容を取得した場合には、抽出部９２で抽出された各信号の変化率ΔＨのそれぞれにマイナスの符号を付与する。
【００６７】
調整部９４は、各変化率ΔＨに符号の付与した後、事前に取得した設定値設定値Ｓ１、Ｓ２に符号付きの各変化率を乗算することで調整値を算出して、表示制御部１１に送信する。
【００６８】
次に、第２の実施形態に係る映像表示装置２Ｂの動作について、図６を用いて説明する。図６は、第２の実施形態に係る映像表示装置２Ｂの動作を説明する図である。
【００６９】
映像表示装置２Ｂは、外部装置１から入力された映像信号を取得する（ステップＳ２０１）。そして、映像表示装置２は、その取得した映像信号を解析し、その解析の結果から得られた映像情報をもとに映像を表示画面に表示する（ステップＳ２０２）。
【００７０】
ここで、映像表示装置２Ｂは、新たに外部装置１から映像信号が入力され、当該映像信号の映像情報（新たな映像情報）が現在の映像情報に対して変化があるか否かを判定し（ステップＳ２０３）、変化があると判定した場合には、現在の映像情報を保存する。そして、映像表示装置２Ｂは、新たな映像情報をもとに映像を表示画面に表示する。すなわち、映像表示装置２Ｂは、映像情報に変化があった場合には、変化前の映像情報を記憶部１０に格納し（ステップＳ２０４）、変化後の映像情報を表示画面に表示する（ステップＳ２０５）。
【００７１】
次に、映像表示装置２Ｂは、第１の実施形態に係るステップＳ１０６の処理と同様に、表示部１２の自動調整を適用するか否かを判定する（ステップＳ２０６）。
【００７２】
表示画面（表示部１２）の自動調整を適用すると判定した場合には、映像表示装置２Ｂは、変化前後の映像情報（すなわち、記憶部に格納されている映像情報）と、変化後の映像情報（すなわち表示部１２に表示中の映像情報）とを比較する（ステップＳ２０７）。そして、映像表示装置２Ｂは、映像情報に含まれる各種信号の信号値の変化率ΔＨを信号ごとに算出する。
【００７３】
分類部１００は、信号値の変化率ΔＨが信号ごとに算出されると、表示画面の明るさに影響する信号を第１のグループに分類し（ステップＳ２０８）、色彩に影響する信号を第２のグループに分類する（ステップＳ２０９）。そして、抽出部９２Ｂは、各グループにおいて変化率ΔＨが最も大きい信号を抽出する（ステップＳ２１０）。この抽出部９２Ｂにより抽出された信号は、ユーザによる表示画面の調整理由であると判定される。
【００７４】
特定部９３は、抽出部９２により抽出された信号に対応する表示画面の各調整項目を特定する（ステップＳ２１１）。そして、調整部９４は、特定部９３が特定した調整項目における現在の設定値Ｓ１，設定値Ｓ２を読み出す（ステップＳ２１２）。ここで、第１のグループから抽出された信号の変化率ΔＨをΔＨ１とし、その信号に対応する設定項目の設定値を設定値Ｓ１とする。また、第２のグループから抽出された信号の変化率ΔＨをΔＨ２とし、その信号に対応する設定項目の設定値を設定値Ｓ２とする。
【００７５】
映像表示装置２Ｂは、表示画面の調整方向をプラス方向にするかマイナス方向にするかを選択させる選択画面を表示画面に表示する（ステップＳ２１３）。なお、本実施形態に係る選択画面は、ステップＳ２０６における自動調整を選択するメニュー画面と同じＧＵＩにすることが好ましい。これにより、ユーザは、マウスなどのポインティング・デバイスやボタン等の操作部を操作することで上記選択画面から表示画面の調整方向を選択することができる（ステップＳ２１４）。
【００７６】
調整部９４は、ユーザにより、表示画面の調整方向としてプラス方向が選択された場合には、変化率ΔＨ１及び変化率ΔＨ２にプラスの符号を付与する（ステップＳ２１５）。一方、調整部９４は、表示画面の調整方向としてマイナス方向が選択された場合には、変化率ΔＨ１及び変化率ΔＨ２にマイナスの符号を付与する（ステップＳ２１６）。
【００７７】
そして、調整部９４は、変化率ΔＨ１及び変化率ΔＨ２にプラス又はマイナスの符号の付与した後、事前に取得した設定値Ｓ１に符号付きの変化率ΔＨ１を乗算し、設定値Ｓ２に符号付きの変化率ΔＨ２を乗算することで各調整項目の調整値を算出する（ステップＳ２１７）。そして、調整部９４は、この算出した各調整値を表示部１２に送信する。これにより、現在の表示画面の設定値Ｓ１及び設定値Ｓ２が更新される（ステップＳ２１８）。
【００７８】
以下に、第２の実施形態の実施例について、説明する。
例えば、ユーザが外部装置１（例えば、ＰＣ）の操作により、現在の映像表示装置２の表示部１２に表示されている映像Ｘから映像Ｙに切り替えられると、映像表示装置２の演算制御部９Ｂは、映像Ｘの映像信号（映像情報）を記憶部１０に格納し、新たに入力された映像信号（映像情報）から映像Ｙの表示を行う。
【００７９】
ここで、ユーザは映像Ｙ及びそれを表示する表示画面の設定を不快に感じて調整を試みる。ただし、映像表示装置２Ｂの表示画面の調整項目は種類が多く、自身にとって調整が必要な調整項目を特定できないため、自動調整を選択し、調整方向にプラスを選択する。
この場合において、映像表示装置２Ｂの信号処理部９１は、自動調整に際して、映像Ｘ, Ｙの映像情報内の各信号を比較して、各信号の変化率ΔＨを算出する。ここで、分類部１００は、表示映像の明るさに影響する信号を第１のグループに分類し、色彩に影響する信号を第として分類する。したがって、例えば、抽出部９２Ｂは、各信号の変化前後における第１のグループの各信号の変化率ΔＨをグラフ化し（例えば、図７）、第２のグループの各信号の変化率ΔＨをグラフ化する（例えば、図８）。
【００８０】
図７の例では、映像情報の変化前後で第１のグループの信号（１）〜信号（６）のうち、信号（２）の変化率が４０（％）上がっており、変化率が閾値以上であって最大である。また、図８の例では、第２のグループの信号（８）の変化率が４０（％）上がっており、変化率が閾値以上であって最大である。そのため、抽出部９２Ｂは、第１のグループから信号（２）を抽出し、第２のグループから信号（８）を抽出する。
【００８１】
したがって、特定部９３は、表示部１２の調整項目から信号（２）と信号（８）に対応する項目を特定し、その設定値を確認する。例えば、信号（２）に対応する表示部１２の設定項目の設定値が「２０」であり、信号（８）に対応する表示部１２の設定項目の設定値が「１０」である場合には、調整部９４は、これらの設定値に対して信号（２）, 信号（８）の変化率４０（％）を適用して調整値を算出する。ここで、ユーザの希望する調整方向はプラス方向であるため、調整部９４は、信号（２）に対応する設定項目の設定値「２０」を＋４０（％）に調整し、信号（８）に対応する設定項目の設定値「１０」を＋４０（％）に調整する。すなわち、調整部９４は、信号（２）の設定値を「２８」（＝２０×１．４）に調整し、信号（８）の設定値を「１４」（＝１０×１．４）に調整する。
【００８２】
このように、第２の実施形態においても、ユーザが現在の表示画面に表示された映像の明るさや色度の変更を望む場合、表示画面の調整画面（メニュー画面）から自動調整の実施の選択と、画面の調整方向をプラス方向又はマイナス方向のどちらにするか選択を行えば、映像表示装置２がユーザに最も影響を及ぼす変化のあった信号に対応する画面の調整値の調整を動的に行う。すなわち、映像情報が変化したことでユーザが不快に思って自動調整の実施を選択したとすると、映像表示装置２Ｂは、映像情報の変化前後で、各グループで最も変化率が大きい信号がユーザを不快に感じさせた原因であるとして、その変化分を動的に調整する。そのため、ユーザは自身の望む調整が必要な調整項目及びその項目の設定値を思案することが不要となる。その結果、表示画面に対して最適な調整を行うことができる。
【００８３】
次に、本発明の一実施形態に係る映像表示装置２の主要な構成について、説明する。
図９は、本発明の一実施形態に係る映像表示装置２の主要な構成を説明する図である。
図９に示すように、映像表示装置２は、操作受付部７、抽出部９２、特定部９３、及び調整部９４を備える。
【００８４】
操作受付部７は、操作を受け付ける。
抽出部９２は、映像情報に変化があり、操作受付部７により操作が受け付けられた場合には、各種信号のうち、映像情報の変化前後で信号値の変化が閾値を超える信号を抽出する。
特定部９３は、前記抽出部により抽出された信号に対応する前記表示画面の調整項目を特定する。
調整部９４は、特定部９３により特定された調整項目の設定値を調整する。
【００８５】
これにより、映像表示装置２，２Ｂは、ユーザに最も影響を及ぼす変化のあった信号に対応する画面の調整値の調整を動的に行うため、ユーザは自身の望む調整が必要な調整項目及びその項目の設定値を思案することが不要となる。したがって、表示画面に対して最適な調整を行うことができる。
【００８６】
また、抽出部９２は、各種信号のうち、映像情報の変化前後で前記変化が閾値を超える信号であって、最も変化が大きい信号を抽出してもよい。
【００８７】
また、本発明の一実施形態に係る映像表示装置は、分類部１００を備えてもよい。この分類部１００は、各種信号のうち、表示画面の明るさに影響する信号を第１のグループとし、映像の色彩に影響する信号を第２のグループとして分類する。そして、抽出部９２（９２Ｂ）は、各グループにおいて、変化が最大である信号を抽出してもよい。
【００８８】
例えば、本発明の一実施形態に係る映像表示装置は、映像表示装置２に入力される信号に変化があり、ユーザが調整を試みたことを検出した場合、映像信号の変化前後における各信号の差を検出後、画面の明るさに影響する信号を第１のグループ、色彩に影響する信号を第２のグループに分類し、各グループにおいて変化率が最も大きい信号は、ユーザによる表示画面の調整理由であると判定するステップを有してもよい。そして、ユーザが望む調整方向をプラスかマイナスでユーザ自身に選択させた後、それにより最大である変化率に符号を付与して表示画面の設定値に乗算する調整手段を備えてもよい。
【００８９】
以上、この発明の実施形態について図面を参照して詳述してきたが、具体的な構成はこの実施形態に限られるものではなく、この発明の要旨を逸脱しない範囲の設計等も含まれる。
【００９０】
例えば、０〜１００が設定値の調整幅であり、現在の設定値が「８０」の調整項目に対して、＋４０（％）の調整を行うとすると、調整した結果の設定値は「１１２」となる。ここで、１００が最大の調整量であるため、実質＋４０（％）の調整は行えないことなる。ただし、本実施形態では、最も変化率の高い信号の変化がユーザを不快に感じさせた原因であるとするため、本発明の一実施形態に係る映像表示装置は、設定値を調整幅の最大値である「１００」に設定してもよい。また、各グループ内で変化率が最大とされる信号が複数存在する場合、変化率が最大である信号の調整項目の設定値をすべて調整してもよい。
【００９１】
また、上記実施形態では、映像表示装置２は、ステップＳ１０７やＳ２０７において、変化後の映像情報として表示部１２に表示中の映像情報を用いたが、本発明はこれに限定されない。すなわち、変化後の映像情報は、表示画面に表示中の映像情報でなくてもよい。
例えば、映像表示装置２の信号処理部９１は、ステップＳ１０３やステップＳ２０３において、新たな映像情報が現在の映像情報に対して変化があると判定した場合には、現在の映像情報と新たな映像情報とを記憶部１０に格納してもよい。すなわち、信号処理部９１は、変化前の映像情報と変化後の映像情報とを記憶部１０に格納してもよい。この場合には、信号処理部９１は、ステップＳ１０７やＳ２０７において、表示画面の自動調整を適用すると判定した場合には、記憶部１０から変化前の映像情報と、変化後の映像情報とを読み出して比較する。
【産業上の利用可能性】
【００９２】
上記の映像表示装置によれば、表示画面に対して最適な調整を行うことができる。
【符号の説明】
【００９３】
Ａ，Ｂ  映像表示システム
１  外部装置
２，２Ｂ  映像表示装置
７  操作受付部
９１  信号処理部
９２，９２Ｂ  抽出部
９３  特定部
９４  調整部
１００  分類部
【図１】
0006968283.tif 000002
【図２】
0006968283.tif 000003
【図３】
0006968283.tif 000004
【図４】
0006968283.tif 000005
【図５】
0006968283.tif 000006
【図６】
0006968283.tif 000007
【図７】
0006968283.tif 000008
【図８】
0006968283.tif 000009
【図９】
0006968283.tif 000010